(57)【要約】【課題】閉蓋時に開放面を覆う側壁と該側壁に対応するフラップとの間に隙間が生じ難く、密封性が損なわれることのない包装用紙箱を提供する。【解決手段】  開口部を構成する一対の対向側壁４，５から連設された内フラップ11、12、13、14に壁体２が重合されて開口部が閉塞されてなる包装用紙箱である。一対の対向側壁４、５は、上面と側面とに開口部を構成するものであって、その前縁に円弧状折目53、54を介して一対のサイドフラップ11、12が連設されている。円弧状折目53、54は、サイドフラップ遊端側に向かって湾曲している。【選択図】 図１
0003120100.tif 000002
【実用新案登録請求の範囲】
【請求項１】
開口部を構成する一対の対向側壁から連設された内フラップに壁体が重合されて開口部が閉塞されてなる包装用紙箱において、
前記内フラップが、内フラップ遊端側に向かって湾曲する円弧状折目を介して側壁に連設されていることを特徴とする包装用紙箱。
【請求項２】
請求項１の包装用紙箱において、前記一対の対向側壁は、上面と側面とに開口部を構成するものであって、その前縁にサイドフラップ遊端側に向かって湾曲する円弧状折目を折介して一対のサイドフラップが連設されている包装用紙箱。
【考案の詳細な説明】
【技術分野】
【０００１】
この考案は、例えばショートケーキのような形崩れし易い生菓子類等を収容するのに好適な組立式紙箱に関する。
【背景技術】
【０００２】
従来、ショートケーキのような形崩れし易い生菓子類の持ち帰り用紙箱として、ショートケーキを紙箱上面開口からのみ出し入れするのではなく、側方からも出し入れするようになされた包装用紙箱が提案されている（特許文献１）。
【０００３】
このような包装用紙箱に関して、本出願人も、図１０及び図１１に示すような包装用紙箱（Ｅ）を提案し、側面に互いに係合する内フラップとしてのサイドフラップ（511）（512）を設け、サイドフラップ（511）（512）の係合を解除することにより、側方からショートケーキ等を出し入れできるものとした。その閉蓋状態においては、可開放前面壁に連設されたサイドフラップ（511）（512）と左右両側壁上縁に連設された蓋止めフラップ（513）（514）とに蓋体（506）が被せられるものである。
【特許文献１】特開２００２−３３７８４８号（図４）
【考案の開示】
【考案が解決しようとする課題】
【０００４】
しかしながら、上記のような包装用紙箱は、図１１に示すように、閉蓋時の可開放前側壁（502）は、可開放前側壁（502）の折目（31）と蓋体前側壁（6b）とその折目（39）により端部は固定されて、その中間面は上下の折目に抑えられるために、これを戻そうとする反発力が働き、側方から見ると紙箱から離間するように撓んだ状態となって、可開放前側壁（502）とサイドフラップ（512）との間に隙間ができてしまい、密封性がいささか損なわれることがある。
【０００５】
この考案は、上述の事情に鑑みてなされたもので、閉蓋時に開放面を覆う側壁と該側壁に対応するフラップとの間に隙間が生じ難く、密封性が損なわれることのない包装用紙箱を提供することを目的とする。
【課題を解決するための手段】
【０００６】
上記目的を達成するために、請求項１の考案に係る組立式紙箱は、開口部を構成する一対の対向側壁から連設された内フラップに壁体が重合されて開口部が閉塞されてなる包装用紙箱において、前記内フラップが、内フラップ遊端側に向かって湾曲する円弧状折目を介して側壁に連設されている構成を採用する。
【０００７】
請求項２の考案に係る包装用紙箱は、請求項１の構成に加えて、前記一対の対向側壁は、上面と側面とに開口部を構成するものであって、その前縁に折目を介して一対のサイドフラップが連設され、該サイドフラップが、サイドフラップ遊端側に向かって湾曲する折目を介して側壁に連設されている構成を採用する。
【考案の効果】
【０００８】
請求項１に係る考案は、開口部を構成する一対の対向側壁から連設された内フラップに壁体が重合されて開口部が閉塞されてなる包装用紙箱において、前記内フラップが、内フラップ遊端側に向かって湾曲する円弧状折目を介して側壁に連設されているので、内フラップが外方に向かって湾曲するようにたわむ傾向にある壁体の内面に沿うように重ね合わされ、紙箱の気密性が向上する。
【０００９】
請求項２に係る考案は、サイドフラップが、サイドフラップ遊端側に向かって湾曲する円弧状折目を介して側壁に連設されているので、側方から収納物を出し入れできるようにした包  装用紙箱の気密性が向上する。
【考案を実施するための最良の形態】
【００１０】
以下、この考案に係る紙箱の第１実施形態について、図面を参照して具体的に説明する。図１は同紙箱Ａの開蓋時の斜視図、図２は同閉蓋時の側面図、図３はその展開状態の平面図を示すものである。
【００１１】
まず、図３を中心にして説明すると、長方形の底壁（１）の四周に折目（31）（32）（33）（34）を介して可開放前側壁（２）、後側壁（３）、左側壁（４）及び右側壁（５）が連設されている。
【００１２】
可開放前側壁（２）の上端には折目（35）を介して蓋止めフラップ（15）が連設されている。
【００１３】
前記可開放前側壁（２）に対向する後側壁（３）の左右には、折目（37）（38）を介して胴貼り用接合片（７）（８）が連設され、左右両側壁（４）（５）の内面に接合されるものとなされている。この後側壁（３）上縁には折目（36）を介して蓋体（６）の天壁（６ａ）が連設されている。
【００１４】
該天壁（６ａ）は、前縁に折目（39）を介して蓋体前側壁（６ｂ）が連設され、さらに該前側壁（６ｂ）の下端に折目（40）を介して前側壁内壁部（６ｃ）が連設される一方、側縁に折目（43）（44）を介して接合片（６ｄ）（６ｅ）が連設されている。
【００１５】
また、蓋体天壁（６ａ）の左右に折目（41）（42）を介して蓋体側壁（６ｆ）（６ｇ）が連設されている。この蓋体側壁（６ｆ）（６ｇ）の内面に、前記接合片（６ｄ）（６ｅ）が接合されることにより、蓋体（６）の立体形態が得られる。
【００１６】
前記蓋体側壁（６ｆ）（６ｇ）には、その前端上隅部から斜め下向き４５度に傾斜した折り畳み用斜状折目（22）（23）が設けられている。
【００１７】
左右両側壁（４）（５）は、左右対称に形成されているもので、上縁に折目（51）（52）を介して蓋止めフラップ（13）（14）が連設される一方、前縁に円弧状折目（53）（54）を介してサイドフラップ（11）（12）が連設されている。前記円弧状折目（53）（54）は、サイドフラップ（11）（12）の遊端側に向かって湾曲している。
【００１８】
このサイドフラップ（11）（12）は、他方の側壁のサイドフラップ（12）（11）と組み合わされ、この包装用紙箱（Ａ）の組立状態において可開放前側壁（２）の内面に臨むものとなされている。このサイドフラップ（11）（12）の先端部には、上方又は下方に向う縦切目（17）（19）が刻設されて、縦切目（17）（19）より先端部分（16）（18）が他方のサイドフラップ（11）（12）の前面に位置する噛み合わせ状態に組み立てられる。
【００１９】
さらに、このサイドフラップ（11）（12）は、図１に示すように前記噛み合わせ状態において中央上部に位置する部位は大きく抉られるように切り欠かれており、その噛み合わせ状態においても収容物の出し入れが行いやすくなされている。
【００２０】
また、左右両側壁（４）（５）のいずれにも、後側壁がわの下端隅部から蓋止めフラップ（13）（14）の上端隅部を結ぶ折り畳み用斜状折目（21）（22）が設けられている。
【００２１】
上記構成を有する組立式紙箱（Ａ）は、上記展開状態から、先ず蓋体前側壁内壁部（６ｃ）を蓋体前側壁（６ｂ）の内面に貼着した後、接合片（６ｄ）（６ｅ）を、斜状折目（23）（24）により区画される三角形状部（63）（64）を上にして蓋体天壁（６ａ）側に折り返した蓋体左右側壁の前記三角形状部（63）（64）に貼着して、蓋体（６）を扁平な折畳み状態としておく。
【００２２】
次に、左右両側壁（４）（５）を折り畳み用斜状折目（21）（22）から二つ折り状態に折り畳んだ後、後側壁（３）をその上に重ね合わせると同時に、胴貼り用接合片（７）（８）を対応する左右両側壁（４）（５）の内面に接合し、扁平な折り畳み状態とする。そして、その上に前記蓋体（６）を重ね、通常は、この扁平折り畳み状態のまま輸送、保管され、使用に際して所期する形態に組み立てられることになる。
【００２３】
その組立に際しては、上記扁平折り畳み状態から後側壁（３）を起立させると左右両側壁（４）（５）が自動的に起立し、上面及び前面が開放された状態が得られる。
【００２４】
この開放状態で、収容物を底壁の真上からではなく前方斜め上からあるいは可開放前側壁内面上及び底壁（１）上を横滑りさせるようにすることにより容易に底壁（１）上に載置させることができる。そして、収容物を底壁（１）に載置した後、両サイドフラップ（11）（12）を図１に示すように、噛み合わせることにより左右両側壁（４）（５）の所期する起立姿勢が保持される。
【００２５】
その後、左右両側壁（４）（５）の蓋止めフラップ（13）（14）を、底壁（１）と平行になるように内側に折り曲げておいて、底壁（１）と面一になっている可開放前側壁（２）を起立させ、その上縁の蓋止めフラップ（15）を底壁（１）と平行になるように内側に折り曲げかつ該蓋止めフラップ（15）の両端で左右両側壁の蓋止めフラップ（13）（14）の端部を抑えるものとする。
【００２６】
そして、この状態で、蓋体（６）を、蓋止めフラップ（13）（14）（15）の上から紙箱開口面を覆うように被せることにより閉蓋状態が保持される。
【００２７】
この閉蓋状態においては、やはり可開放前側壁（２）は図２に示すように、側面から見ると、紙箱から離間するように撓んだ状態となるが、サイドフラップ（11）（12）の遊端側に向かって湾曲している円弧状折目（53）（54）から折り曲げられたサイドフラップ（11）（12）が、可開放前側壁（２）の内面に沿うように位置することになるので、包装用紙箱（Ａ）の気密性が向上する。
【００２８】
図４及び図５は、この考案に係る第２実施形態の包装用紙箱（Ｂ）を示すもので、この包装用紙箱（Ｂ）は、ショートケーキの包装に用いられるいわゆる提げ手付き包装用紙箱である。
【００２９】
可開放前側壁（102）の上縁に蓋壁構成片（161）が連設され、該蓋壁構成片（161）の上縁に提げ手構成片（162）が連設される一方、後側壁の上縁から連設された蓋壁構成片（171）の上縁に提げ手構成片（172）が連設されている。
【００３０】
左右両側壁（104）（105）の前縁に円弧状折目（153）（154）を介してサイドフラップ（111）（112）が連設され、両サイドフラップ（111）（112）は、先の実施形態のサイドフラップと同様に、その先端部分において互いに係合するものとなされている。前記円弧状折目（153）（154）は、サイドフラップ（111）（112）の遊端側に向かって湾曲している。
【００３１】
また、左右両側壁（104）（105）の上縁には、提げ手構成片両端の係合片（162ａ）（162ａ）（172ａ）（172ａ）が嵌入する係合孔（113ａ）（114ａ）が設けられている。
【００３２】
而して、この包装用紙箱（Ｂの）図４に示す開蓋状態から、閉蓋状態とするには、先ず
両蓋壁構成片（161）（162）を紙箱開口面で覆い、両提げ手構成片（162）（172）を合掌状とする。次に、両提げ手構成片（162）（172）の両端の係合片（162ａ）（162ａ）（172ａ）（172ａ）を提げ手受け片（113）（114）の係合孔（113ａ）（114ａ）に嵌入することにより、閉蓋状態が保持される。
【００３３】
この閉蓋状態においては、可開放前側壁（102）が、図２に示すように、側面から見ると、紙箱から離間するように撓んだ状態となるが、サイドフラップ（111）（112）の遊端側に向かって湾曲している円弧状折目（153）（154）から折り曲げられたサイドフラップ（111）（112）が、可開放前側壁（102）の内面に沿うように位置することになるので、包装用紙箱（Ｂ）の気密性が向上する。
【００３４】
図６及び図７は、この考案に係る第３実施形態の包装用紙箱（Ｃ）を示すもので、蓋壁を兼ねている可開放前側壁（202）の上縁に提げ手構成片（262）が連設される一方、後側壁（203）の上縁に提げ手構成片（272）が連設され、両提げ手構成片（262）（272）が合掌状に合わされることにより提げ手が構成される。
【００３５】
前側壁（202）の上縁には、提げ手構成片（262）を形成するためのくり抜き余剰部を用いてロック用係止片（270）が連設されている。このロック用係止片（270）は、後側壁（203）上部の差し込み孔（280）に挿入係止される差し込み部（271）が設けられている。
【００３６】
左右両側壁（204）（205）の前縁に円弧状折目（253）（254）を介して蓋止めフラップ（213）（214）が連設されている。前記円弧状折目（253）（254）は、蓋止めフラップ（213）（214）の遊端側に向かって湾曲している。
【００３７】
而して、図６に示すこの包装用紙箱（Ｃ）の開蓋状態から、閉蓋状態とするには、可開放前側壁（202）を起立させて蓋止めフラップ（213）（214）に重ね合わせると、その提げ手構成片（262）が自動的に後側壁（203）の提げ手構成片（272）と合掌状態となる。この提げ手構成片（262）（272）の合掌状態の下で、ロック用係止片（270）を後側壁（203）の上部を跨ぐように後側壁（203）の表面側に折り曲げ、その差し込み部（271）を後側壁（203）の差し込み孔（280）に挿入することにより、閉蓋状態がロックされることになる。
【００３８】
この閉蓋状態においては、可開放前側壁（202）が、図７に示すように、側面から見ると、紙箱から離間するように撓んだ状態となるが、蓋止めフラップ（213）（214）の遊端側に向かって湾曲している円弧状折目（253）（254）から折り曲げられた蓋止めフラップ（213）（214）が、可開放前側壁（202）の内面に沿うように位置することになるので、包装用紙箱（Ｃ）の気密性が向上する。
【図面の簡単な説明】
【００３９】
【図１】第一考案の第１実施形態に係る紙箱の斜視図である。
【図２】同紙箱の閉蓋時の側面図である。
【図３】同紙箱の展開状態の平面図である。
【図４】同第一考案の第２実施形態に係る紙箱の開蓋時の斜視図である。
【図５】同紙箱の閉蓋時の側面図である。
【図６】この考案の第３実施形態に係る紙箱の開蓋時の斜視図である。
【図７】同紙箱の閉蓋時の側面図である。
【図８】従来の紙箱の斜視図である。
【図９】従来の紙箱の左右両側壁を外側に折り返した状態の斜視図である。
【符号の説明】
【００４０】
Ａ、Ｂ、Ｃ・・・組立式紙箱
１・・・・・・・底壁
２・・・・・・・可開放前側壁
４・・・・・・・左側壁
５・・・・・・・右側壁
11、12、111、112・・・・・内フラップ（サイドフラップ）
13、14、113、114、213、214・・・・・内フラップ（蓋止めフラップ）
53、54、153、154、253、254・・・円弧状折目
２１、２２・・・折り畳み用斜状折目
【図１】
0003120100.tif 000003
【図２】
0003120100.tif 000004
【図３】
0003120100.tif 000005
【図４】
0003120100.tif 000006
【図５】
0003120100.tif 000007
【図６】
0003120100.tif 000008
【図７】
0003120100.tif 000009
【図８】
0003120100.tif 000010
【図９】
0003120100.tif 000011